(57)【要約】回路基板を収容するモジュールケース（４）と、モジュールケース（４）に装着され外部のコネクタを接続させるためのアダプタとを有するパッケージモジュールにおいて、アダプタを構成するアダプタケース（１１）はその側周面が閉鎖の筒状と成して、一端側開口は外部コネクタの差し込み口と成し、他端側開口はモジュールケース（４）に装着するための接続口（１１ｃ）と成す。アダプタケース（１１）の接続口側の上壁には、嵌合受け口を下向きにした嵌合受け部（１５）を設ける。モジュールケース（４）には嵌合用凸部（１７）を設ける。モジュールケース（４）のアーム（１２）をアダプタケース（１１）の接続口（１１ｃ）からアダプタケース（１１）の内部に挿入して嵌合用凸部（１７）を嵌合受け部（１５）の嵌合受け口に対向させモジュールケース（４）をアダプタケース（１１）に対して相対的に上側に移動させて嵌合用凸部（１７）を嵌合受け部（１５）に嵌合することで、モジュールケース（４）とアダプタケース（１１）を接続する。
2004095104.tif 000002
【特許請求の範囲】
【請求項１】
回路基板を収容するモジュールケースと、このモジュールケースに装着され外部のコネクタを接続させるためのアダプタとを有するパッケージモジュールにおいて、アダプタは側周面が閉鎖の筒形状をしたアダプタケースを有し、このアダプタケースの筒形状の一端側開口は外部のコネクタの差し込み口と成し、他端側開口はモジュールケースに装着するための接続口と成し、アダプタケースの接続口側の上壁には嵌合受け部が嵌合受け口を下向きにして設けられており、モジュールケースはアダプタケースの接続口に挿入されるアダプタケース接続部を有し、このアダプタケース接続部には、アダプタケースの嵌合受け部に嵌合する嵌合用凸部と、アダプタケース接続部がアダプタケースの接続口からアダプタケース内の指定位置まで挿入されたときにアダプタケース側と当接してアダプタケース接続部の回動支点として機能する回動支点部とが設けられ、また、アダプタケース接続部には先方に向けて突出したアームが一体形成され、そのアームの先端部にはアダプタケース内に差し込まれた外部のコネクタを固定するための爪部が設けられている構成と成しており、アダプタケース側の嵌合受け部の下向き先端位置と接続口の下端位置との間の開口幅は、モジュールケース側の嵌合用凸部の上下方向の高さ寸法よりも小さい寸法と成し、また、モジュールケースのアダプタケース接続部をアダプタケースの接続口からアダプタケースの底面に対して上向きに傾けながら指定位置まで挿入し前記アダプタケース接続部の回動支点部を支点としてアダプタケース接続部を回動してアダプタケースの底面に対して水平状態としたときにアダプタケースの嵌合受け部の嵌合受け口に対向する位置に、モジュールケース側の嵌合用凸部が設けられており、そのモジュールケース側の嵌合用凸部とアダプタケース側の嵌合受け部とを対向させモジュールケースをアダプタケースに対して相対的に上方側に移動させることで嵌合用凸部と嵌合受け部を嵌合させてアダプタケースがモジュールケースに装着されていることを特徴とするパッケージモジュール。
【請求項２】
アダプタケースの接続口側の上下方向の外形高さ寸法をＨｏとし、アダプタケースの上面と底面のそれぞれのケース壁の厚みをｔとし、アダプタケースの上面位置と嵌合受け部の下向き先端位置との間の高さ間隔をＬ１とし、モジュールケース側の嵌合用凸部の突出先端位置とモジュールケースの底面位置との間の高さ間隔をＬ２とし、モジュールケース側の爪部を含むアームの最下位置と嵌合用凸部の突出先端位置との間の高さ間隔をＬ３とし、モジュールケースのアームの高さ寸法をＤとし、また、モジュールケースのアダプタケース接続部をアダプタケースの内部に挿入させてアダプタケース接続部の嵌合用凸部とアダプタケースの嵌合受け部の嵌合受け口とを対向させた状態から、それら嵌合用凸部と嵌合受け部を嵌合させてアダプタケースがモジュールケースに装着された状態に移行させるときのアダプタケースに対する相対的なモジュールケースの上側移動量をΔｈとした場合に、Ｌ３≧Ｈｏ−ｔ−Ｌ１の数式と、Ｌ２＝Ｌ３＋ｔ＋Δｈの数式と、Δｈ＝Ｈｏ／２−Ｄ／２−ｔの数式との全ての数式を満たすことを特徴とする請求の範囲第１項記載のパッケージモジュール。
【請求項３】
モジュールケースのアダプタケース接続部をアダプタケースの内部に挿入しアダプタケース接続部の回動支点部を支点としてアダプタケース接続部を回動する際にアダプタケース接続部の嵌合用凸部の突出先端部がアダプタケースの嵌合受け部の嵌合受け口端縁部に接触しながらアダプタケース接続部が回動するように、アダプタケース接続部の回動支点部と、嵌合用凸部においての回動支点部から最も離れている部分との間の長さは、アダプタケースにおいての接続口の下端の先端位置と嵌合受け部の嵌合受け口のモジュールケース寄り側の内端部との距離に応じて、設定されていることを特徴とする請求の範囲第１項記載のパッケージモジュール。
【請求項４】
モジュールケースの内部には、発光素子と受光素子のうちの少なくとも一方の素子が設けられると共に、その設けられている素子に光接続する光ファイバが配設されて、パッケージモジュールは光通信用モジュールと成しており、アダプタには、モジュールケース内の光ファイバと光接続する接続相手の光ファイバを備えた光コネクタがコネクタ接続される構成と成していることを特徴とする請求の範囲第１項記載のパッケージモジュール。
【請求項５】
回路基板を収容するモジュールケースと、このモジュールケースに装着され外部のコネクタを接続させるためのアダプタとを有するパッケージモジュールにおいて、アダプタは側周面が閉鎖の筒形状をしたアダプタケースを有し、このアダプタケースの筒形状の一端側開口は外部のコネクタの差し込み口と成し、他端側開口はモジュールケースに装着するための接続口と成し、アダプタケースの接続口側の上壁には嵌合受け部が嵌合受け口を下向きにして設けられており、モジュールケースはアダプタケースの接続口に挿入されるアダプタケース接続部を有し、このアダプタケース接続部には、アダプタケースの嵌合受け部に嵌合する嵌合用凸部が設けられ、また、アダプタケース接続部には先方に向けて突出したアームが一体形成され、そのアームの先端部にはアダプタケース内に差し込まれた外部のコネクタを固定するための爪部が設けられており、アダプタケースには、アダプタケース接続部がアダプタケースの接続口からアダプタケース内に挿入されアダプタケース接続部の嵌合用凸部がアダプタケースの嵌合受け部の嵌合受け口に対向する位置まで進行したときにアダプタケース接続部の前進移動を停止させる挿入停止部が設けられている構成と成しており、モジュールケースのアダプタケース接続部をアダプタケースの接続口からアダプタケースの内部に挿入させアダプタケース接続部のアームをアダプタケースの底壁に沿わせながらアダプタケースの挿入停止部により停止するまでアダプタケース接続部を前進移動させてモジュールケース側の嵌合用凸部とアダプタケース側の嵌合受け部の嵌合受け口とを対向させてからモジュールケースをアダプタケースに対して相対的に上方側に移動させることで嵌合用凸部と嵌合受け部を嵌合させてアダプタケースがモジュールケースに装着されていることを特徴とするパッケージモジュール。
【請求項６】
モジュールケースの内部には、発光素子と受光素子のうちの少なくとも一方の素子が設けられると共に、その設けられている素子に光接続する光ファイバが配設されて、パッケージモジュールは光通信用モジュールと成しており、アダプタには、モジュールケース内の光ファイバと光接続する接続相手の光ファイバを備えた光コネクタがコネクタ接続される構成と成していることを特徴とする請求の範囲第５項記載のパッケージモジュール。
【発明の詳細な説明】
【技術分野】  本発明は、回路基板をモジュールケースに収容して成るパッケージモジュールに関するものである。
【背景技術】  パッケージモジュールは回路基板をケース内に収容して構成されるものであり、パッケージモジュールには様々なものがある。そのパッケージモジュールの一つとして、光通信に用いられる光通信用モジュールがある。第１０図には本出願人が開発している光通信用モジュール（パッケージモジュール）の一例が模式的な分解図により示されている。このパッケージモジュール１は、回路基板２と、光モジュール部品３と、回路基板２および光モジュール部品３を収容するモジュールケース４と、アダプタ５とを有して構成されている。
光モジュール部品３は回路部３Ａとフェルール部３Ｂを有して構成されている。回路部３Ａはケースの内部に、発光素子（例えばレーザダイオード（ＬＤ））と受光素子（例えばフォトダイオード（ＰＤ））とのうちの少なくとも一方（図示せず）が配設されており、当該回路部３Ａのケース内部には、発光素子を利用して電気信号を光信号に変換する変換部と、受光素子を利用して光信号を電気信号に変換する変換部とのうちの一方又は両方の変換部が収容配置されている。
フェルール部３Ｂは、光ファイバ（図示せず）が挿通されているフェルール（図示せず）と、当該フェルールを収容するスリーブおよびスリーブを収納するフェルールケースとを有し、フェルールケースは、回路部３Ａのケースと一体化されている。フェルールに挿通された光ファイバの一端側はフェルールの回路部３Ａ側の端面に露出して、回路部３Ａの発光素子又は受光素子と光結合状態となっている。また、その光ファイバの他端側の端面は外部と接続するためにフェルールの外側端面に露出した状態となっている。
回路基板２には、部品７や回路パターン（図示せず）が形成されて回路が構成されており、その回路は、光モジュール部品３の回路と電気的に接続されている。回路基板２に形成される回路としては、例えば、電気信号の増幅回路などがある。なお、この図示の例では、回路基板２には当該回路基板２に形成されている回路を外部の回路に接続させるための端子８が取り付けられている。
モジュールケース４は基部ケース９と蓋側ケース１０を有し、これら基部ケース９と蓋側ケース１０の組み合わせによって形成される内部空間内に、回路基板２および光モジュール部品３が収容される。なお、この基部ケース９の底壁には、回路基板２に取り付けられている端子８に対応する位置に貫通孔２０が形成されており、モジュールケース４の内部に回路基板２を収容した際に、回路基板２の端子８はモジュールケース４の内部から、その貫通孔２０を通して外部に突出する。
また、モジュールケース４の基部ケース９の周壁には、外向きに伸長されたアーム１２（１２Ａ，１２Ｂ）が設けられている。当該アーム１２Ａ，１２Ｂは互いに間隔を介して横方向に並設されている。これらアーム１２Ａ，１２Ｂのそれぞれの先端部に爪部１３（１３Ａ，１３Ｂ）が設けられている。これらアーム１２と爪部１３は、後述するアダプタ５に差し込まれる外部のコネクタと嵌合して外部のコネクタ（光コネクタ）をパッケージモジュール１に固定するためのものである。当該例えばアーム１２と爪部１３は、成形技術によって基部ケース９と一体的に作製される。
アダプタ５は、外部のコネクタが差し込まれるアダプタケース１１を有して構成されている。このアダプタケース１１はアーム１２および爪部１３を収容して基部ケース９に取り付けられるものである。当該アダプタケース１１の後端部には外部の光コネクタの差し込み口１１ａが形成されている。また、アダプタケース１１には、第１１図に示されるように、その底面から前端面に掛けても開口部１１ｂが形成されている。このアダプタケース１１の開口部１１ｂは、アダプタケース１１を基部ケース９に取り付ける際に、アーム１２および爪部１３を内部空間に導くためのものである。さらに、アダプタケース１１の前端側の上壁には、嵌合受け部１５（１５Ａ，１５Ｂ）が嵌合受け口１６（１６Ａ，１６Ｂ）を下向きにして設けられている。
基部ケース９には、アーム１２（１２Ａ，１２Ｂ）の近傍の周壁部に上側に突出した嵌合用凸部１７（１７Ａ，１７Ｂ）が形成されている。嵌合用凸部１７は、アダプタケース１１の嵌合受け部１５と嵌合することができるものである。例えば、アダプタケース１１を第１１図に示されるような姿勢でもってアーム１２の上方側に配置し、その後、アーム１２に向けてアダプタケース１１を下方側に変位させる。これにより、アーム１２および爪部１３をアダプタケース１１の開口部１１ｂからアダプタケース１１の内部空間内に収容し、また、基部ケース９の嵌合用凸部１７（１７Ａ，１７Ｂ）と、アダプタケース１１の嵌合受け部１５（１５Ａ，１５Ｂ）とを嵌合させる。このようにして、アダプタケース１１は、アーム部１２および爪部１３を内部空間に収容した状態で、基部ケース９に取り付けられる。
その基部ケース９に取り付けられたアダプタケース１１のコネクタ差し込み口１１ａから外部の光コネクタを差し込み、当該外部の光コネクタをアーム１２および爪部１３により基部ケース９（パッケージモジュール１）に固定することにより、光コネクタに挿通されている光ファイバの端面と、光モジュール部品３のフェルールに挿通されている光ファイバの端面とが突き合わせ接続される構成となっている。
ところで、第１０図に示す例では、アーム１２は、基部ケース９と一体的に形成されているものであったが、例えば、第１２図に示すように、基部ケース９とは別にアーム１２および爪部１３を作製する場合がある。この場合、例えば、それらアーム１２および爪部１３と、別個に形成されたアダプタケース１１とが組み合わされ、当該組み立て体が基部ケース９に接着剤などによって取り付けられる。また、第１３図に示されるように、基部ケース９とは別個に、アダプタケース１１とアーム１２と爪部１３を一体化した部品が成形によって作製される場合がある。この場合には、例えば、その部品は基部ケース９に接着剤などによって取り付けられる。
しかしながら、第１２図に示す例では、アーム１２および爪部１３を作製し、また、それとは別にアダプタケース１１を作製し、それらを組み立てた後に、その組み立て体を接着剤によって基部ケース９に接続するというように、製造工程が煩雑化する。また、接着剤による取り付けは接合強度が弱く、また、接着剤は経年劣化し易いので、パッケージモジュール１に対する強度の信頼性を低くしてしまうという問題がある。
また、第１３図に示す例では、アダプタケース１１とアーム１２と爪部１３を一体成形するので、アダプタケース１１と、アーム１２および爪部１３とを組み合わせるという作業を無くすことはできるが、成形技術上の問題から、アーム１２の根元付近に第１３図に示されるような穴２１が形成されてしまう。この穴２１によって、アーム１２の根元部の強度が弱くなるという問題が生じ、アーム１２の破損の確率が高くなってしまうという問題があった。
さらに、第１０図に示す例では、基部ケース９とアーム１２と爪部１３を一体形成するので、アーム１２を基部ケース９に接着する必要もないし、また、アーム１２の根元付近に成形に起因した穴部２１が形成されることもない。しかし、アダプタケース１１の底面に大きな開口部１１ｂが形成されるので、その開口部１１ｂからアダプタケース１１の内部に粉塵が入り易い。このために、例えば、開口部１１ｂからアダプタケース１１内に粉塵が入り込み易いため、アダプタケース１１に光コネクタを差し込んで光コネクタ側の光ファイバと光モジュール部品３側の光ファイバとを光接続するときに、粉塵がアダプタケース１１内に入り込んで光接続状態が悪化してしまうという問題発生の虞がある。
したがって、本発明は、強度およびコネクタ接続に対する信頼性の向上が図れるパッケージモジュールを提供することを目的としている。
【発明の開示】
本発明の一つの構成は、回路基板を収容するモジュールケースと、このモジュールケースに装着され外部のコネクタを接続させるためのアダプタとを有するパッケージモジュールにおいて、アダプタは側周面が閉鎖の筒形状をしたアダプタケースを有し、このアダプタケースの筒形状の一端側開口は外部のコネクタの差し込み口と成し、他端側開口はモジュールケースに装着するための接続口と成し、アダプタケースの接続口側の上壁には嵌合受け部が嵌合受け口を下向きにして設けられており、モジュールケースはアダプタケースの接続口に挿入されるアダプタケース接続部を有し、このアダプタケース接続部には、アダプタケースの嵌合受け部に嵌合する嵌合用凸部と、アダプタケース接続部がアダプタケースの接続口からアダプタケース内の指定位置まで挿入されたときにアダプタケース側と当接してアダプタケース接続部の回動支点として機能する回動支点部とが設けられ、また、アダプタケース接続部には先方に向けて突出したアームが一体形成され、そのアームの先端部にはアダプタケース内に差し込まれた外部のコネクタを固定するための爪部が設けられている構成と成しており、アダプタケース側の嵌合受け部の下向き先端位置と接続口の下端位置との間の開口幅は、モジュールケース側の嵌合用凸部の上下方向の高さ寸法よりも小さい寸法と成し、また、モジュールケースのアダプタケース接続部をアダプタケースの接続口からアダプタケースの底面に対して上向きに傾けながら指定位置まで挿入し前記アダプタケース接続部の回動支点部を支点としてアダプタケース接続部を回動してアダプタケースの底面に対して水平状態としたときにアダプタケースの嵌合受け部の嵌合受け口に対向する位置に、モジュールケース側の嵌合用凸部が設けられており、そのモジュールケース側の嵌合用凸部とアダプタケース側の嵌合受け部とを対向させモジュールケースをアダプタケースに対して相対的に上方側に移動させることで嵌合用凸部と嵌合受け部を嵌合させてアダプタケースがモジュールケースに装着されていることを特徴としている。
また、本発明の別の構成は、回路基板を収容するモジュールケースと、このモジュールケースに装着され外部のコネクタを接続させるためのアダプタとを有するパッケージモジュールにおいて、アダプタは側周面が閉鎖の筒形状をしたアダプタケースを有し、このアダプタケースの筒形状の一端側開口は外部のコネクタの差し込み口と成し、他端側開口はモジュールケースに装着するための接続口と成し、アダプタケースの接続口側の上壁には嵌合受け部が嵌合受け口を下向きにして設けられており、モジュールケースはアダプタケースの接続口に挿入されるアダプタケース接続部を有し、このアダプタケース接続部には、アダプタケースの嵌合受け部に嵌合する嵌合用凸部が設けられ、また、アダプタケース接続部には先方に向けて突出したアームが一体形成され、そのアームの先端部にはアダプタケース内に差し込まれた外部のコネクタを固定するための爪部が設けられており、アダプタケースには、アダプタケース接続部がアダプタケースの接続口からアダプタケース内に挿入されアダプタケース接続部の嵌合用凸部がアダプタケースの嵌合受け部の嵌合受け口に対向する位置まで進行したときにアダプタケース接続部の前進移動を停止させる挿入停止部が設けられている構成と成しており、モジュールケースのアダプタケース接続部をアダプタケースの接続口からアダプタケースの内部に挿入させアダプタケース接続部のアームをアダプタケースの底壁に沿わせながらアダプタケースの挿入停止部により停止するまでアダプタケース接続部を前進移動させてモジュールケース側の嵌合用凸部とアダプタケース側の嵌合受け部の嵌合受け口とを対向させてからモジュールケースをアダプタケースに対して相対的に上方側に移動させることで嵌合用凸部と嵌合受け部を嵌合させてアダプタケースがモジュールケースに装着されていることを特徴としている。
この発明によれば、モジュールケースにはアームが一体形成される構成であるので、例えば、アームを接着剤によりモジュールケースに取り付ける必要が無く、製造工程の煩雑化を防止できるし、接着剤に起因した問題の発生や、アーム強度が弱くなるという問題を回避できる。
また、この発明では、アダプタケースは側周面が閉鎖の筒形状と成しており、アダプタケースをモジュールケースに取り付けたときに、コネクタの差し込み口以外のアダプタケースの開口部はモジュールケースによって塞がれた状態とすることが可能となる。このため、アダプタケース内部に入り込む粉塵をほぼ無くすことができる。例えば、パッケージモジュールが光通信用モジュールである場合には、パッケージモジュール側の光ファイバと、アダプタケースに差し込まれた光コネクタの光ファイバとの光接続部に埃が入り込んで光接続状態が悪化してしまうという問題を回避することができる。
さらに、この発明では、アダプタケースは側周面が閉鎖の筒形状と成して開口部を減少させた構成であるので、アダプタケースの強度を強めることができる。
ところで、アダプタケース側の嵌合受け部の下向きの先端位置とアダプタケースの接続口の下端位置との間の開口幅が、モジュールケース側のアダプタケース接続部における嵌合用凸部の上下方向の高さ寸法よりも小さい寸法となっている構成を備える場合や、アダプタケースの接続口側の上下方向の外形高さ寸法をＨｏとし、アダプタケースの上面と底面のそれぞれのケース壁の厚みをｔとし、アダプタケースの上面位置と嵌合受け部の下向き先端位置との間の高さ間隔をＬ１とし、モジュールケース側の爪部を含むアームの最下位置と嵌合用凸部の突出先端位置との間の高さ間隔をＬ３としたときに、Ｌ３≧Ｈｏ−ｔ−Ｌ１の数式を満たす構成を備える場合には、モジュールケースにアダプタケースを取り付ける際には、モジュールケース側のアダプタケース接続部をアダプタケースの底面に対して上向きに傾けて挿入する。そして、モジュールケース側のアダプタケース接続部が指定位置までアダプタケース内に挿入されたときにアダプタケース側に当接しているモジュールケース側のアダプタケース接続部の部分を支点としてアダプタケース接続部を回動してアダプタケース接続部をアダプタケースの底面に対して水平状態とする。このとき、モジュールケース側の嵌合用凸部が、アダプタケース側の嵌合受け部の嵌合受け口の対向位置に配置されるように設計することによって、アダプタケース接続部の回動後に、モジュールケースをアダプタケースに対して相対的に上側に移動させるだけで、モジュールケース側の嵌合用凸部と、アダプタケース側の嵌合受け部とを嵌合できる。このようにして、アダプタケースをモジュールケースに取り付けることができる。
このように、アダプタケース側の嵌合受け部の下向きの先端位置とアダプタケースの接続口の下端位置との間の開口幅が、モジュールケース側のアダプタケース接続部における嵌合用凸部の上下方向の高さ寸法よりも小さい寸法となっていても、アダプタケースをモジュールケースに取り付けることができる。なお、ここでは、便宜上、そのようにしてアダプタケースをモジュールケースに取り付けるものをアーム斜め挿入タイプと呼ぶ。
そのアーム斜め挿入タイプのものにあっては、アダプタケースをモジュールケースに取り付けるためには、モジュールケース側のアダプタケース接続部のアダプタケース内への挿入と、挿入後のアダプタケース接続部の回動と、アダプタケース側の嵌合受け部とモジュールケース側の嵌合用凸部との嵌合というような複数の動作が必要であることから、アダプタケースがモジュールケースから簡単に外れてしまうことを回避することができる。
さらに、アーム斜め挿入タイプのものにあって、モジュールケースのアダプタケース接続部をアダプタケースの内部に挿入しアダプタケース接続部を回動する際にアダプタケース接続部の嵌合用凸部の突出先端部がアダプタケースの嵌合受け部の嵌合受け口端縁部に接触しながらアダプタケース接続部が回動する構成を備えることによって、アダプタケースがモジュールケースから外れようとしてもモジュールケース側の嵌合用凸部がアダプタケース側の嵌合受け部の嵌合受け口端縁部に引っ掛かるので、アダプタケースがモジュールケースから外れてしまう事態をより確実に防止することができる。
さらに、アーム斜め挿入タイプのものにあっては、アダプタケース側の嵌合受け部の下向きの先端位置とアダプタケースの接続口の下端位置との間の開口幅が、モジュールケース側のアダプタケース接続部における嵌合用凸部の上下方向の高さ寸法よりも小さい寸法となっているので、その開口幅の狭小化により、アダプタケースの上下方向の高さを小さくできる。その結果、アダプタケースの小型化（低背化）を図ることができて、パッケージモジュールの小型化を図ることができる。
さらに、この発明では、アーム斜め挿入タイプではなく、アーム水平挿入タイプの構成を備えている場合（つまり、モジュールケースのアダプタケース接続部をアダプタケースの接続口からアダプタケースの内部に挿入させモジュールケース側のアームをアダプタケースの底壁に沿わせながら前進移動させてモジュールケース側の嵌合用凸部とアダプタケース側の嵌合受け部の嵌合受け口とを対向させ、その後に、モジュールケースをアダプタケースに対して相対的に上方側に移動させることで嵌合用凸部と嵌合受け部を嵌合させてアダプタケースがモジュールケースに装着されている構成を備えている場合）にも、簡単な動作でもってアダプタケースをモジュールケースに装着することができる。また、アダプタケースがモジュールケースから外れ難くなるという効果を得ることができる。
以上のように、この発明の構成を備えることによって、強度およびコネクタ接続に対する信頼性が高く、また、製造工程の簡略化によりコスト低減が容易なパッケージモジュールを提供することができるというものである。
【図面の簡単な説明】  第１図は、第１実施形態例のパッケージモジュールにおいて特有な構成部分を抜き出して示したモデル図である。第２図は、第１実施形態例のパッケージモジュールにおけるアダプタケースと、モジュールケースの嵌合用凸部形成領域との寸法関係を説明するための図である。第３図も、第２図と同様に、第１実施形態例のパッケージモジュールにおけるアダプタケースと、モジュールケースの嵌合用凸部形成領域との寸法関係を説明するための図である。
第４ａ図は、第１実施形態例のパッケージモジュールを組み立てる工程において特徴的な作業例を説明するための図であり、第４ｂ図は、第４ａ図に示される状態を実現するための第１実施形態例のパッケージモジュールのサイズ条件を説明するための図である。第５ａ図と第５ｂ図と第５ｃ図と第５ｄ図は、第１実施形態例におけるアダプタケースをモジュールケースに取り付ける工程例を説明するためのモデル図である。
第６ａ図と第６ｂ図と第６ｃ図は、第２実施形態例のパッケージモジュールを組み立てる工程例を説明するための図である。第７ａ図と第７ｂ図と第７ｃ図は、パッケージモジュールを構成する嵌合用凸部と嵌合受け部のその他の形態例を説明するための図である。第８ａ図と第８ｂ図と第８ｃ図と第８ｄ図は、さらに、パッケージモジュールを構成する嵌合用凸部と嵌合受け部の別の形態例を説明するための図である。
第９ａ図と第９ｂ図は、それぞれ、第１実施形態例に示したアームの変形例を説明するための図である。第１０図は、本出願人が開発しているパッケージモジュールの一例を説明するためのモデル図である。第１１図は、開発の一段階前のアダプタケースの一例を模式的に示したモデル図である。第１２図は、コネクタを固定するためのアームと、アダプタケースとの従来例を説明するための図である。第１３図は、コネクタを固定するためのアームと、アダプタケースとの別の従来例を説明するための図である。
【発明を実施するための最良の形態】  以下に、本発明に係る実施形態例を図面に基づいて説明する。なお、以下に説明する実施形態例の説明において、第１０図に示したパッケージモジュールと同一構成部分には同一符号を付し、その共通部分の重複説明は省略する。
第１実施形態例のパッケージモジュールは光通信用モジュールであり、次に示すような特有な構成（アーム斜め挿入タイプの構成）を備えている。なお、この第１実施形態例では、次に述べる構成以外のパッケージモジュールの構成は、第１０図に示すパッケージモジュール１と同様である。
すなわち、第１０図に示すアダプタ５のアダプタケース１１は底面が開口していたのに対して（第１１図参照）、この第１実施形態例では、第１図に示されるように、アダプタケース１１の底面は閉塞されており、当該アダプタケース１１は側周面が閉鎖された筒形状と成している。このアダプタケース１１の一端側開口は外部のコネクタ（この第１実施形態例では光コネクタ）の差し込み口１１ａと成し、他端側開口はモジュールケース４（基部ケース９）に装着するための接続口１１ｃと成している。
このアダプタケース１１の接続口１１ｃ側の上壁には嵌合受け部１５（１５Ａ，１５Ｂ）が嵌合受け口１６（１６Ａ，１６Ｂ）を下向きにして設けられている。また、基部ケース９側にはその嵌合受け部１５（１５Ａ，１５Ｂ）に嵌合する嵌合用凸部１７（１７Ａ，１７Ｂ）が設けられている。この第１実施形態例では、第２図に示されるように、アダプタケース１１の嵌合受け部１５の下向き先端位置と接続口１１ｃの下端位置との間の開口幅Ｈは、モジュールケース４（基部ケース９）の嵌合用凸部１７の上下方向の高さＬ２よりも小さい寸法となっている。
また、この第１実施形態例では、モジュールケース４（基部ケース９）の嵌合用凸部１７の突出先端位置と、爪部１３を含むアーム１２の最下位置（つまり、この第１実施形態例では爪部１３の底面位置）との間の高さ間隔Ｌ３は、アダプタケース１１の嵌合受け部１５の下向き先端位置と接続口１１ｃの下端位置との間の開口幅Ｈ以上の大きい寸法となっている（Ｌ３≧Ｈ）。換言すれば、ここで、アダプタケース１１の上下方向の外形高さ寸法をＨｏとし、アダプタケース１１の上下方向の内寸高さをＨｉとし、アダプタケース１１の上面と底面のそれぞれのケース壁の厚みをｔとし、アダプタケース１１の上面位置と嵌合受け部１５の下向き先端位置との間の高さ間隔をＬ１とする。この場合、アダプタケース１１においての接続口１１ｃの高さ方向の開口幅Ｈは、Ｈ＝Ｈｏ−ｔ−Ｌ１の数式で表される。このことから、この第１実施形態例では、高さ間隔Ｌ３は、Ｌ３≧Ｈｏ−ｔ−Ｌ１の数式を満たす寸法となっている。
このため、この第１実施形態例では、例えば、モジュールケース４にアダプタケース１１を装着すべく、モジュールケース４のアーム１２および爪部１３をアダプタケース１１の接続口１１ｃからアダプタケース１１の内部に挿入し、アーム１２をアダプタケース１１の底壁に沿わせながら前進移動させていくと、第３図に示されるように、モジュールケース４の嵌合用凸部１７がアダプタケース１１の嵌合受け部１５の外壁面に当接して、モジュールケース４の前進移動が停止する。このために、このままでは、モジュールケース４の嵌合用凸部１７をアダプタケース１１の嵌合受け部１５に嵌合させることができない。
そこで、この第１実施形態例では、アダプタケース１１をモジュールケース４（基部ケース９）に取り付けるときには、次に示すような特有な手順でもって取り付け作業を行う。例えば、第５ａ図の断面図に示すように、基部ケース９およびアーム１２をアダプタケース１１の底面に対して上向きに傾けた状態でアダプタケース１１の接続口１１ｃからアダプタケース１１の内部に爪部１３およびアーム１２を挿入していく。
アーム１２および爪部１３の挿入を継続していくと、第５ｂ図に示すように、アダプタケース１１の底壁先端部に基部ケース９の周壁が当接して基部ケース９およびアーム１２の挿入が停止する。この第１実施形態例では、基部ケース９の周壁がアダプタケース１１の底壁に当接する前に、爪部１３がアダプタケース１１の上壁に当接しないように、アーム１２の長さ等が設計されている。なお、第５ｂ図の例では、基部ケース９の周壁がアダプタケース１１の底壁先端部に当接したときに、爪部１３がアダプタケース１１の上壁に当接していないが、例えば、基部ケース９の周壁がアダプタケース１１の底壁先端部に当接したときに同時に、爪部１３がアダプタケース１１の上壁に当接する構成としてもよい。
その後、アダプタケース１１の底壁先端部が当接しているアーム１２の当接部位Ｐを支点として基部ケース９およびアーム１２を回動して、第５ｃ図に示されるように、基部ケース９およびアーム１２をアダプタケース１１の底面に対して水平状態とする。つまり、この第１実施形態例では、アーム１２の挿入が停止したときにアダプタケース１１の底壁先端部が当接するアーム１２の部位Ｐが回動支点部となっている。
また、この第１実施形態例では、基部ケース９とアーム１２を回動させる際に、嵌合用凸部１７の突出先端部がアダプタケース１１の嵌合受け部１５の嵌合受け口端縁部に接触し、第４ａ図に示されるように、嵌合受け部１５の嵌合受け口を構成するモジュールケース寄り側の壁部を僅かに変形させながら、基部ケース９およびアーム１２は回動する構成となっている。このため、この第１実施形態例では、モジュールケース４の回動支点部Ｐと嵌合用凸部１７においての回動支点部から最も離れている部分Ｑ（第４ｂ図参照）との間の長さβ１は、アダプタケース１１においての接続口１１ｃの下端の先端位置Ｘと、嵌合受け部１５の嵌合受け口のモジュールケース寄り側の内端部Ｙとの間の距離β２よりも僅かに長くなっている。
さらに、この第１実施形態例では、嵌合用凸部１７が嵌合受け部１５の嵌合受け口端縁部に接触しながら基部ケース９およびアーム１２を回動させる際に、その基部ケース９およびアーム１２の回動をスムーズに行わせるために、嵌合受け部１５の嵌合受け口のモジュールケース寄り側の内端部１８は、カットされるか、あるいは、丸みがつけられている。なお、その内端部１８をカットするか、あるいは、丸みをつけるのではなく、嵌合用凸部１７における嵌合受け部接触部分をカットするか、あるいは、丸みをつける構成としてもよい。
さらに、この第１実施形態例では、基部ケース９およびアーム１２の回動により、それら基部ケース９およびアーム１２がアダプタケース１１の底面に対して水平状態になったときに、基部ケース９側（モジュールケース４側）の嵌合用凸部１７がアダプタケース１１側の嵌合受け部１５の嵌合受け口１６に対向するように、嵌合受け部１５と嵌合用凸部１７の配置関係が設計されている。
基部ケース９およびアーム１２の回動により当該基部ケース９およびアーム１２をアダプタケース１１の底面に対して水平な状態にした後に、第５ｄ図に示されるように、アダプタケース１１の底面に対してモジュールケース４を相対的に上側に移動させて、モジュールケース４側の嵌合用凸部１７と、アダプタケース１１側の嵌合受け部１５とを嵌合させる。これにより、基部ケース９（モジュールケース４）へのアダプタケース１１の装着が完了する。
この第１実施形態例では、嵌合用凸部１７と嵌合受け部１５が嵌合したときに、アダプタケース１１の底面と、モジュールケース４の底面とが面一になると共に、モジュールケース４のアーム１２の伸長方向の中心線Ｏ１２（第５ｃ図参照）がアダプタケース１１の中心位置Ｏ１１に一致するように構成されている。つまり、第５ｃ図の状態から第５ｄ図の状態に移行させるときのアダプタケース１１に対するモジュールケース４（基部ケース９）の相対的な上側移動量をΔｈとし、アーム１２の高さ寸法をＤとする。この場合に、この第１実施形態例では、その上側移動量Δｈは、Δｈ＝Ｈｏ／２−Ｄ／２−ｔの数式により定まる値となっている。また、モジュールケース４の嵌合用凸部１７の突出先端位置とモジュールケース４の底面位置との間の高さ間隔Ｌ２は、Ｌ２＝Ｌ３＋ｔ＋Δｈの数式を満たす寸法となっている。
また、この第１実施形態例では、嵌合用凸部１７が形成されている基部ケース９の周壁部分と、アーム１２と、爪部１３とが、アダプタケース１１の接続口１１ｃに挿入されるアダプタケース接続部αを構成している（第５ｃ図参照）。
この第１実施形態例では、基部ケース９にアダプタケース１１を取り付けた後に、回路基板２および光モジュール部品３を収容した基部ケース９と、蓋側ケース１０とを組み合わせることにより、パッケージモジュール１が組み立てられる。このパッケージモジュール１においては、アダプタケース１１が基部ケース９（モジュールケース４）に取り付けられている状態では、そのアダプタケース１１は、コネクタの差し込み口１１ａ以外の部分に開口部は無い状態となる。また、アダプタケース１１に光コネクタが差し込まれ、この光コネクタによってアダプタケース１１の差し込み口１１ａもほぼ塞がれた状態にできる。このため、光コネクタがアダプタケース１１の内部に差し込まれて、光コネクタの光ファイバと、光モジュール部品３のフェルールの光ファイバとが光接続しているときに、アダプタケース１１の外部から内部に埃が入り込むことを回避できる。よって、アダプタケース１１に光コネクタを抜き差ししても、埃に起因して、その光接続状態が悪化する等の問題を防止できる。
なお、この第１実施形態例では、アーム１２の根元の下端位置は、基部ケース９の底面位置よりも上側の高さ位置にあり、アーム１２の根元の下端位置よりも下側の基部ケース９の周壁部分は、アーム１２のアダプタケース１１への挿入時にアダプタケース１１の底壁に当接してアーム１２の挿入を停止させる部分であったが、例えば、アーム１２の例えば根元又はその近傍の下端部に第９ａ図に示されるような凹部２３を設け、当該凹部２３の内壁面がアーム１２の挿入を停止させる機能を持つ構成としてもよい。また、アーム１２に第９ａ図に示されるような凹部２３や第９ｂ図に示されるような孔部２４が設けられる構成の場合には、凹部２３又は孔部２４の開口端縁の一部Ｐが基部ケース９およびアーム１２の回動支点部として機能する構成としてもよい。
さらに、基部ケース９の下側の周壁面や、アーム１２に形成した凹部２３によって、アーム１２の挿入を停止させるのではなく、爪部１３がアダプタケース１１の上壁に当接することによって、アーム１２の挿入を停止させる構成としてもよいものである。
さらに、第１実施形態例では、モジュールケース４にアダプタケース１１を装着させる工程において、モジュールケース４を回動する際に、嵌合用凸部１７の突出先端部が嵌合受け部１５の嵌合受け口端縁部に接触する構成であったが、嵌合用凸部１７の突出先端部が嵌合受け部１５の嵌合受け口端縁部に接触しない構成としてもよい。この場合には、モジュールケース４の嵌合用凸部１７の突出先端位置と爪部１３の底面位置との間の高さ間隔Ｌ３は、前述したＬ３≧Ｈｏ−ｔ−Ｌ１の数式を満たす間隔と成し、かつ、第４ｂ図に示されるＱＰ間の間隔β１はＸＹ間の間隔β２よりも短い長さ（β１＜β２）と成す。嵌合用凸部１７の突出先端部が嵌合受け部１５の嵌合受け口端縁部に接触しない構成とすると、パッケージモジュールが非常に小型なものである場合には、嵌合受け部１５と嵌合用凸部１７の嵌合が浅くなって嵌合受け部１５と嵌合用凸部１７との嵌合状態が解消され易くなる。このため、小型なパッケージモジュールにおいては、嵌合用凸部１７の突出先端部が嵌合受け部１５の嵌合受け口端縁部に接触する構成として、嵌合受け部１５と嵌合用凸部１７の嵌合をできるだけ深くする構成とすることが好ましい。
以下に、第２実施形態例を説明する。この第２実施形態例の説明において、第１実施形態例と同一構成部分には同一符号を付し、その共通部分の重複説明は省略する。
この第２実施形態例では、アーム水平挿入タイプの構成の一例を述べる。すなわち、この第２実施形態例では、モジュールケース４の嵌合用凸部１７の突出先端位置と爪部１３の底面位置との間の高さ間隔Ｌ３（第２図参照）は、Ｌ３≦Ｈｏ−ｔ−Ｌ１の数式を満たす寸法となっている。換言すれば、高さ間隔Ｌ３は、アダプタケース１１の接続口１１ｃの高さ方向の開口幅Ｈ（Ｈ＝Ｈｏ−ｔ−Ｌ１）以下の小さい寸法となっている。
このため、この第２実施形態例では、次に示すように、モジュールケース４にアダプタケース１１を装着することができる。すなわち、第６ａ図に示されるように、モジュールケース４のアーム１２および爪部１３をアダプタケース１１の接続口１１ｃからアダプタケース１１の内部に挿入し、アーム１２をアダプタケース１１の底壁に沿わせながらモジュールケース４をアダプタケース１１に対して相対的に前進移動させていく。
この第２実施形態例では、アダプタケース１１の嵌合受け部１５のケース内側の下端位置１５ｉｂは、嵌合受け部１５のモジュールケース寄り側の下端位置１５ｏｂよりも下側となっている。このため、第６ｂ図に示されるように、モジュールケース４側の嵌合用凸部１７がアダプタケース１１側の嵌合受け部１５の嵌合受け口に対向する位置までモジュールケース４が前進移動したときに、嵌合用凸部１７が嵌合受け部１５のケース内側の内端部に当接してモジュールケース４の前進移動が停止する。すなわち、この第２実施形態例では、嵌合受け部１５のケース内側内端部Ｋが挿入停止部と成している。
その後、モジュールケース４をアダプタケース１１に対して相対的に上側に移動させることにより、第６ｃ図に示されるように、モジュールケース４側の嵌合用凸部１７と、アダプタケース１１の嵌合受け部１５とを嵌合させる。この第２実施形態例においても、第１実施形態例と同様に、嵌合用凸部１７と嵌合受け部１５を嵌合させたときに、モジュールケース４の底面位置と、アダプタケース１１の底面位置とが面一になると共に、アーム１２の伸長方向の中心線と、アダプタケース１１の中心線とが一致するように設計されている。つまり、第６ｂ図の状態から第６ｃ図の状態に移行するときのアダプタケース１１に対するモジュールケース４の上側移動量Δｈ（第６ｂ図参照）は、Δｈ＝Ｈｏ／２−Ｄ／２−ｔの数式により定まる数値となっている。また、モジュールケース４の嵌合用凸部１７の突出先端位置とモジュールケース４の底面位置との間の高さ間隔Ｌ２は、Ｌ２＝Ｌ３＋ｔ＋Δｈの数式を満たす寸法となっている。
この第２実施形態例では、以上のようにして、モジュールケース４にアダプタケース１１を装着することができる。
ところで、この第２実施形態例の構成では、第１実施形態例の構成に比べると、モジュールケース４にアダプタケース１１を装着することが容易である。その反面、アダプタケース１１がモジュールケース４から外れ易くなる虞がある。そこで、次に示されるような構成を設けてもよい。
例えば、第７ａ図のモデル図に示されるように、モジュールケース４の嵌合用凸部１７の先端部に外向きの爪部１７ａを設ける。第７ｃ図は、第７ａ図に示されるモジュールケース４のアーム１２をアダプタケース１１の接続口１１ｃからアダプタケース１１の内部に挿入して嵌合用凸部１７が嵌合受け部１５の嵌合受け口に対向したときの状態を表すモデル図である。第７ｂ図は、第７ｃ図のＡ−Ａ部分の断面図である。第７ｂ図の断面図に示されるように、アダプタケース１１の嵌合受け部１５には、当該嵌合受け部１５に嵌合用凸部１７が嵌合したときに嵌合用凸部１７の爪部１７ａが抜け止め係止する爪係止部２６が設けられている。この例では、モジュールケース４側の嵌合用凸部１７がアダプタケース１１側の嵌合受け部１５に嵌合してモジュールケース４の底面位置がアダプタケース１１の底面位置と面一になった状態のときに嵌合用凸部１７の爪部１７ａが対向する位置に、穴部から成る爪係止部２６が形成されている。このため、嵌合用凸部１７の爪部１７ａが嵌合受け部１５の爪係止部２６に係止して抜け止め固定されることにより、モジュールケース４の底面位置とアダプタケース１１の底面位置とが面一になっている状態を維持することができる。また、モジュールケース４からアダプタケース１１が外れてしまう事態を確実に防止することができる。
なお、この例では、嵌合用凸部１７の先端部に設けられる爪部１７ａは外向きに突出形成されていたが、爪部１７ａを内向きに形成してもよい。この場合には、もちろん、アダプタケース１１の嵌合受け部１５側に設けられる爪係止部２６も、爪部１７ａの形成位置に応じた位置に設けられることとなる。
また、次に示すような構成を設けて、モジュールケース４からアダプタケース１１が外れてしまう事態を防止する構成としてもよい。例えば、第８ｂ図の断面図に示されるように、アダプタケース１１側の嵌合受け部１５において、モジュールケース４側の嵌合用凸部１７の側面に沿わせるための壁面１５ｗは、内向きの傾きがつけられている。また、第８ａ図および第８ｂ図に示されるように、モジュールケース４側の嵌合用凸部１７には当該嵌合用凸部１７の先端部分を内向きに傾けるための曲げ部１７ｃが設けられ、この曲げ部１７ｃよりも先端側は傾斜部１７ｂと成している。なお、第８ｃ図は、第８ａ図に示されるモジュールケース４のアーム１２をアダプタケース１１の接続口１１ｃからアダプタケース１１の内部に挿入して嵌合用凸部１７が嵌合受け部１５の嵌合受け口に対向したときの状態を表すモデル図であり、第８ｂ図は、第８ｃ図のＡ−Ａ部分の断面図である。
そのような嵌合受け部１５および嵌合用凸部１７の構成によって、嵌合用凸部１７を嵌合受け部１５に挿入すると、例えば、嵌合用凸部１７は、嵌合受け部１５の壁面１５ｗの傾きによって内向きに弾性変形しながら嵌合受け部１５を前進移動して、第８ｄ図に示されるような状態となる。つまり、嵌合用凸部１７の先端部は、嵌合受け部１５の内寄りの壁面に当接し当該当接面を内向きの押圧力Ｆｉでもって押圧する。また、嵌合用凸部１７の曲げ部１７ｃは嵌合受け部１５の外寄りの壁面に当接し当該当接面を外向きの押圧力Ｆｏでもって押圧する。それら押圧力Ｆｏ，Ｆｉにより、嵌合用凸部１７が嵌合受け部１５に固定されて嵌合受け部１５から嵌合用凸部１７が外れ難くなる。
なお、この例では、嵌合用凸部１７の傾斜部１７ｂは内向きであったが、外向きであってもよい。また、嵌合受け部１５の壁面１５ｗは内向きに傾いていたが、外向きに傾いていてもよい。
なお、この発明は第１や第２の各実施形態例に限定されるものではなく、様々な実施の形態を採り得る。例えば、第１と第２の各実施形態例では、基部ケース９の周壁に嵌合用凸部１７が形成されていたが、例えば、アーム１２の根元部分に嵌合用凸部１７が形成されている構成としてもよい。また、第１と第２の実施形態例では、モジュールケース４は、基部ケース９と蓋側ケース１０の上下に分離された態様であったが、モジュールケース４はそれ以外の態様であってもよい。
さらに、第１と第２の実施形態例では、アーム１２の底面位置よりも爪部１３の底面位置の方が低かったが、アーム１２の底面位置と爪部１３の底面位置とが等しい構成としてもよい。また、爪部１３の底面位置がアーム１２の底面位置よりも上側となっている構成としてもよい。この場合には、爪部１３を含むアーム１２の最下位置はアーム１２の底面位置となるので、前述した高さ間隔Ｌ３は、アーム１２の底面位置と嵌合用凸部１７の突出先端位置との間の間隔となる。
さらに、第１実施形態例の構成に加えて、第７ａ図〜第７ｃ図に示されるような構成や、第８ａ図〜第８ｄ図に示される構成を備えてもよい。
さらに、第１と第２の実施形態例では、光通信用モジュールを例にして説明したが、この発明は、回路基板がモジュールケース内に収容配置されて成るパッケージモジュールであれば、光通信用モジュール以外のモジュールにも適用することができるものである。例えば、高周波回路が回路基板に形成されてケース内に収容されている高周波回路モジュールや、低周波電流や直流電流が通電する回路が形成されている回路モジュールにも適用することができる。
【産業上の利用可能性】  以上のように、本発明は、強度やコネクタ接続に対する信頼性が高く、また、製造工程の簡略化によりコスト低減が容易なものであることから、例えば、汎用部品としてのパッケージモジュール等に適用することは非常に有効である。
【図１】
2004095104.tif 000003
【図２】
2004095104.tif 000004
【図３】
2004095104.tif 000005
2004095104.tif 000006
2004095104.tif 000007
2004095104.tif 000008
2004095104.tif 000009
2004095104.tif 000010
2004095104.tif 000011
【図１０】
2004095104.tif 000012
【図１１】
2004095104.tif 000013
【図１２】
2004095104.tif 000014
【図１３】
2004095104.tif 000015
【手続補正書】
【提出日】平成16年7月22日(2004.7.22)
【手続補正１】
【補正対象書類名】特許請求の範囲
【補正対象項目名】全文
【補正方法】変更
【補正の内容】
【特許請求の範囲】
【請求項１】
回路基板を収容するモジュールケースと、このモジュールケースに装着され外部のコネクタを接続させるためのアダプタとを有するパッケージモジュールにおいて、アダプタは側周面が閉鎖の筒形状をしたアダプタケースを有し、このアダプタケースの筒形状の一端側開口は外部のコネクタの差し込み口と成し、他端側開口はモジュールケースに装着するための接続口と成し、アダプタケースの接続口側の上壁には嵌合受け部が嵌合受け口を下向きにして設けられており、モジュールケースはアダプタケースの接続口に挿入されるアダプタケース接続部を有し、このアダプタケース接続部には、アダプタケースの嵌合受け部に嵌合する嵌合用凸部と、アダプタケース接続部がアダプタケースの接続口からアダプタケース内の指定位置まで挿入されたときにアダプタケース側と当接してアダプタケース接続部の回動支点として機能する回動支点部とが設けられ、また、アダプタケース接続部には先方に向けて突出したアームが一体形成され、そのアームの先端部にはアダプタケース内に差し込まれた外部のコネクタを固定するための爪部が設けられている構成と成しており、アダプタケース側の嵌合受け部の下向き先端位置と接続口の下端位置との間の開口幅は、モジュールケース側の嵌合用凸部の上下方向の高さ寸法よりも小さい寸法と成し、また、モジュールケースのアダプタケース接続部をアダプタケースの接続口からアダプタケースの底面に対して上向きに傾けながら指定位置まで挿入し前記アダプタケース接続部の回動支点部を支点としてアダプタケース接続部を回動してアダプタケースの底面に対して水平状態としたときにアダプタケースの嵌合受け部の嵌合受け口に対向する位置に、モジュールケース側の嵌合用凸部が設けられており、そのモジュールケース側の嵌合用凸部とアダプタケース側の嵌合受け部とを対向させモジュールケースをアダプタケースに対して相対的に上方側に移動させることで嵌合用凸部と嵌合受け部を嵌合させてアダプタケースがモジュールケースに装着されていることを特徴とするパッケージモジュール。
【請求項２】
アダプタケースの接続口側の上下方向の外形高さ寸法をＨｏとし、アダプタケースの上面と底面のそれぞれのケース壁の厚みをｔとし、アダプタケースの上面位置と嵌合受け部の下向き先端位置との間の高さ間隔をＬ１とし、モジュールケース側の嵌合用凸部の突出先端位置とモジュールケースの底面位置との間の高さ間隔をＬ２とし、モジュールケース側の爪部を含むアームの最下位置と嵌合用凸部の突出先端位置との間の高さ間隔をＬ３とし、モジュールケースのアームの高さ寸法をＤとし、また、モジュールケースのアダプタケース接続部をアダプタケースの内部に挿入させてアダプタケース接続部の嵌合用凸部とアダプタケースの嵌合受け部の嵌合受け口とを対向させた状態から、それら嵌合用凸部と嵌合受け部を嵌合させてアダプタケースがモジュールケースに装着された状態に移行させるときのアダプタケースに対する相対的なモジュールケースの上側移動量をΔｈとした場合に、Ｌ３≧Ｈｏ−ｔ−Ｌ１の数式と、Ｌ２＝Ｌ３＋ｔ＋Δｈの数式と、Δｈ＝Ｈｏ／２−Ｄ／２−ｔの数式との全ての数式を満たすことを特徴とする請求項１記載のパッケージモジュール。
【請求項３】
モジュールケースのアダプタケース接続部をアダプタケースの内部に挿入しアダプタケース接続部の回動支点部を支点としてアダプタケース接続部を回動する際にアダプタケース接続部の嵌合用凸部の突出先端部がアダプタケースの嵌合受け部の嵌合受け口端縁部に接触しながらアダプタケース接続部が回動するように、アダプタケース接続部の回動支点部と、嵌合用凸部においての回動支点部から最も離れている部分との間の長さは、アダプタケースにおいての接続口の下端の先端位置と嵌合受け部の嵌合受け口のモジュールケース寄り側の内端部との距離に応じて、設定されていることを特徴とする請求項１又は請求項２記載のパッケージモジュール。
【請求項４】
モジュールケースの内部には、発光素子と受光素子のうちの少なくとも一方の素子が設けられると共に、その設けられている素子に光接続する光ファイバが配設されて、パッケージモジュールは光通信用モジュールと成しており、アダプタには、モジュールケース内の光ファイバと光接続する接続相手の光ファイバを備えた光コネクタがコネクタ接続される構成と成していることを特徴とする請求項１又は請求項２又は請求項３記載のパッケージモジュール。
【請求項５】
回路基板を収容するモジュールケースと、このモジュールケースに装着され外部のコネクタを接続させるためのアダプタとを有するパッケージモジュールにおいて、アダプタは側周面が閉鎖の筒形状をしたアダプタケースを有し、このアダプタケースの筒形状の一端側開口は外部のコネクタの差し込み口と成し、他端側開口はモジュールケースに装着するための接続口と成し、アダプタケースの接続口側の上壁には嵌合受け部が嵌合受け口を下向きにして設けられており、モジュールケースはアダプタケースの接続口に挿入されるアダプタケース接続部を有し、このアダプタケース接続部には、アダプタケースの嵌合受け部に嵌合する嵌合用凸部が設けられ、また、アダプタケース接続部には先方に向けて突出したアームが一体形成され、そのアームの先端部にはアダプタケース内に差し込まれた外部のコネクタを固定するための爪部が設けられており、アダプタケースには、アダプタケース接続部がアダプタケースの接続口からアダプタケース内に挿入されアダプタケース接続部の嵌合用凸部がアダプタケースの嵌合受け部の嵌合受け口に対向する位置まで進行したときにアダプタケース接続部の前進移動を停止させる挿入停止部が設けられている構成と成しており、モジュールケースのアダプタケース接続部をアダプタケースの接続口からアダプタケースの内部に挿入させアダプタケース接続部のアームをアダプタケースの底壁に沿わせながらアダプタケースの挿入停止部により停止するまでアダプタケース接続部を前進移動させてモジュールケース側の嵌合用凸部とアダプタケース側の嵌合受け部の嵌合受け口とを対向させてからモジュールケースをアダプタケースに対して相対的に上方側に移動させることで嵌合用凸部と嵌合受け部を嵌合させてアダプタケースがモジュールケースに装着されていることを特徴とするパッケージモジュール。
【請求項６】
モジュールケースの内部には、発光素子と受光素子のうちの少なくとも一方の素子が設けられると共に、その設けられている素子に光接続する光ファイバが配設されて、パッケージモジュールは光通信用モジュールと成しており、アダプタには、モジュールケース内の光ファイバと光接続する接続相手の光ファイバを備えた光コネクタがコネクタ接続される構成と成していることを特徴とする請求項５記載のパッケージモジュール。
【請求項７】
請求項１乃至請求項４の何れか１つに記載されているパッケージモジュールを構成するためのモジュールケースおよびアダプタケースを用意し、モジュールケースのアダプタケース接続部をアダプタケースの接続口からアダプタケースの底面に対して上向きに傾けながらアダプタケース内に挿入し、アダプタケース接続部の回動支点部がアダプタケースに当接してアダプタケース接続部の前進移動が停止した後に、アダプタケース接続部の回動支点部を支点としてアダプタケース接続部を回動して当該アダプタケース接続部をアダプタケースの底面に対して水平状態にすると共に、モジュールケース側の嵌合用凸部をアダプタケース側の嵌合受け部に対向させ、その後、モジュールケースをアダプタケースに対して相対的に上方側に移動させて嵌合用凸部を嵌合受け部に嵌合させてモジュールケースにアダプタケースを装着することを特徴とするパッケージモジュールの組立方法。
【請求項８】
請求項５又は請求項６に記載されているパッケージモジュールを構成するためのモジュールケースおよびアダプタケースを用意し、モジュールケースのアダプタケース接続部をアダプタケースの接続口からアダプタケース内に挿入し、そのアダプタケース接続部のアームをアダプタケースの底壁に沿わせながらアダプタケースの挿入停止部により停止するまでアダプタケース接続部を前進移動させてモジュールケース側の嵌合用凸部とアダプタケース側の嵌合受け部の嵌合受け口とを対向させ、次に、モジュールケースをアダプタケースに対して相対的に上方側に移動させて嵌合用凸部を嵌合受け部に嵌合させてモジュールケースにアダプタケースを装着することを特徴とするパッケージモジュールの組立方法。
【手続補正２】
【補正対象書類名】明細書
【補正対象項目名】全文
【補正方法】変更
【補正の内容】
【発明の詳細な説明】
【技術分野】
【０００１】
本発明は、回路基板をモジュールケースに収容して成るパッケージモジュールおよびその組立方法に関するものである。
【背景技術】
【０００２】
パッケージモジュールは回路基板をケース内に収容して構成されるものであり、パッケージモジュールには様々なものがある。そのパッケージモジュールの一つとして、光通信に用いられる光通信用モジュールがある。図１０には本出願人が開発している光通信用モジュール（パッケージモジュール）の一例が模式的な分解図により示されている。このパッケージモジュール１は、回路基板２と、光モジュール部品３と、回路基板２および光モジュール部品３を収容するモジュールケース４と、アダプタ５とを有して構成されている。
【０００３】
光モジュール部品３は回路部３Ａとフェルール部３Ｂを有して構成されている。回路部３Ａはケースの内部に、発光素子（例えばレーザダイオード（ＬＤ））と受光素子（例えばフォトダイオード（ＰＤ））とのうちの少なくとも一方（図示せず）が配設されており、当該回路部３Ａのケース内部には、発光素子を利用して電気信号を光信号に変換する変換部と、受光素子を利用して光信号を電気信号に変換する変換部とのうちの一方又は両方の変換部が収容配置されている。
【０００４】
フェルール部３Ｂは、光ファイバ（図示せず）が挿通されているフェルール（図示せず）と、当該フェルールを収容するスリーブおよびスリーブを収納するフェルールケースとを有し、フェルールケースは、回路部３Ａのケースと一体化されている。フェルールに挿通された光ファイバの一端側はフェルールの回路部３Ａ側の端面に露出して、回路部３Ａの発光素子又は受光素子と光結合状態となっている。また、その光ファイバの他端側の端面は外部と接続するためにフェルールの外側端面に露出した状態となっている。
【０００５】
回路基板２には、部品７や回路パターン（図示せず）が形成されて回路が構成されており、その回路は、光モジュール部品３の回路と電気的に接続されている。回路基板２に形成される回路としては、例えば、電気信号の増幅回路などがある。なお、この図示の例では、回路基板２には当該回路基板２に形成されている回路を外部の回路に接続させるための端子８が取り付けられている。
【０００６】
モジュールケース４は基部ケース９と蓋側ケース１０を有し、これら基部ケース９と蓋側ケース１０の組み合わせによって形成される内部空間内に、回路基板２および光モジュール部品３が収容される。なお、この基部ケース９の底壁には、回路基板２に取り付けられている端子８に対応する位置に貫通孔２０が形成されており、モジュールケース４の内部に回路基板２を収容した際に、回路基板２の端子８はモジュールケース４の内部から、その貫通孔２０を通して外部に突出する。
【０００７】
また、モジュールケース４の基部ケース９の周壁には、外向きに伸長されたアーム１２（１２Ａ，１２Ｂ）が設けられている。当該アーム１２Ａ，１２Ｂは互いに間隔を介して横方向に並設されている。これらアーム１２Ａ，１２Ｂのそれぞれの先端部に爪部１３（１３Ａ，１３Ｂ）が設けられている。これらアーム１２と爪部１３は、後述するアダプタ５に差し込まれる外部のコネクタと嵌合して外部のコネクタ（光コネクタ）をパッケージモジュール１に固定するためのものである。例えばアーム１２と爪部１３は、成形技術によって基部ケース９と一体的に作製される。
【０００８】
アダプタ５は、外部のコネクタが差し込まれるアダプタケース１１を有して構成されている。このアダプタケース１１はアーム１２および爪部１３を収容して基部ケース９に取り付けられるものである。当該アダプタケース１１の後端部には外部の光コネクタの差し込み口１１ａが形成されている。また、アダプタケース１１には、図１１に示されるように、その底面から前端面に掛けても開口部１１ｂが形成されている。このアダプタケース１１の開口部１１ｂは、アダプタケース１１を基部ケース９に取り付ける際に、アーム１２および爪部１３を内部空間に導くためのものである。さらに、アダプタケース１１の前端側の上壁には、嵌合受け部１５（１５Ａ，１５Ｂ）が嵌合受け口１６（１６Ａ，１６Ｂ）を下向きにして設けられている。
【０００９】
基部ケース９には、アーム１２（１２Ａ，１２Ｂ）の近傍の周壁部に上側に突出した嵌合用凸部１７（１７Ａ，１７Ｂ）が形成されている。嵌合用凸部１７は、アダプタケース１１の嵌合受け部１５と嵌合することができるものである。例えば、アダプタケース１１を図１１に示されるような姿勢でもってアーム１２の上方側に配置し、その後、アーム１２に向けてアダプタケース１１を下方側に変位させる。これにより、アーム１２および爪部１３をアダプタケース１１の開口部１１ｂからアダプタケース１１の内部空間内に収容し、また、基部ケース９の嵌合用凸部１７（１７Ａ，１７Ｂ）と、アダプタケース１１の嵌合受け部１５（１５Ａ，１５Ｂ）とを嵌合させる。このようにして、アダプタケース１１は、アーム部１２および爪部１３を内部空間に収容した状態で、基部ケース９に取り付けられる。
【００１０】
その基部ケース９に取り付けられたアダプタケース１１のコネクタ差し込み口１１ａから外部の光コネクタを差し込み、当該外部の光コネクタをアーム１２および爪部１３により基部ケース９（パッケージモジュール１）に固定することにより、光コネクタに挿通されている光ファイバの端面と、光モジュール部品３のフェルールに挿通されている光ファイバの端面とが突き合わせ接続される構成となっている。
【００１１】
ところで、図１０に示す例では、アーム１２は、基部ケース９と一体的に形成されているものであったが、例えば、図１２に示すように、基部ケース９とは別にアーム１２および爪部１３を作製する場合がある。この場合、例えば、それらアーム１２および爪部１３と、別個に形成されたアダプタケース１１とが組み合わされ、当該組み立て体が基部ケース９に接着剤などによって取り付けられる。また、図１３に示されるように、基部ケース９とは別個に、アダプタケース１１とアーム１２と爪部１３を一体化した部品が成形によって作製される場合がある。この場合には、例えば、その部品は基部ケース９に接着剤などによって取り付けられる。
【００１２】
しかしながら、図１２に示す例では、アーム１２および爪部１３を作製し、また、それとは別にアダプタケース１１を作製し、それらを組み立てた後に、その組み立て体を接着剤によって基部ケース９に接続するというように、製造工程が煩雑化する。また、接着剤による取り付けは接合強度が弱く、また、接着剤は経年劣化し易いので、パッケージモジュール１に対する強度の信頼性を低くしてしまうという問題がある。
【００１３】
また、図１３に示す例では、アダプタケース１１とアーム１２と爪部１３を一体成形するので、アダプタケース１１と、アーム１２および爪部１３とを組み合わせるという作業を無くすことはできるが、成形技術上の問題から、アーム１２の根元付近に図１３に示されるような穴２１が形成されてしまう。この穴２１によって、アーム１２の根元部の強度が弱くなるという問題が生じ、アーム１２の破損の確率が高くなってしまうという問題があった。
【００１４】
さらに、図１０に示す例では、基部ケース９とアーム１２と爪部１３を一体形成するので、アーム１２を基部ケース９に接着する必要もないし、また、アーム１２の根元付近に成形に起因した穴部２１が形成されることもない。しかし、アダプタケース１１の底面に大きな開口部１１ｂが形成されるので、その開口部１１ｂからアダプタケース１１の内部に粉塵が入り易い。このために、例えば、開口部１１ｂからアダプタケース１１内に粉塵が入り込み易いため、アダプタケース１１に光コネクタを差し込んで光コネクタ側の光ファイバと光モジュール部品３側の光ファイバとを光接続するときに、粉塵がアダプタケース１１内に入り込んで光接続状態が悪化してしまうという問題発生の虞がある。
【００１５】
したがって、本発明は、強度およびコネクタ接続に対する信頼性の向上が図れるパッケージモジュールおよびその組立方法を提供することを目的としている。
【発明の開示】
【００１６】
本発明の一つの構成は、回路基板を収容するモジュールケースと、このモジュールケースに装着され外部のコネクタを接続させるためのアダプタとを有するパッケージモジュールにおいて、アダプタは側周面が閉鎖の筒形状をしたアダプタケースを有し、このアダプタケースの筒形状の一端側開口は外部のコネクタの差し込み口と成し、他端側開口はモジュールケースに装着するための接続口と成し、アダプタケースの接続口側の上壁には嵌合受け部が嵌合受け口を下向きにして設けられており、モジュールケースはアダプタケースの接続口に挿入されるアダプタケース接続部を有し、このアダプタケース接続部には、アダプタケースの嵌合受け部に嵌合する嵌合用凸部と、アダプタケース接続部がアダプタケースの接続口からアダプタケース内の指定位置まで挿入されたときにアダプタケース側と当接してアダプタケース接続部の回動支点として機能する回動支点部とが設けられ、また、アダプタケース接続部には先方に向けて突出したアームが一体形成され、そのアームの先端部にはアダプタケース内に差し込まれた外部のコネクタを固定するための爪部が設けられている構成と成しており、アダプタケース側の嵌合受け部の下向き先端位置と接続口の下端位置との間の開口幅は、モジュールケース側の嵌合用凸部の上下方向の高さ寸法よりも小さい寸法と成し、また、モジュールケースのアダプタケース接続部をアダプタケースの接続口からアダプタケースの底面に対して上向きに傾けながら指定位置まで挿入し前記アダプタケース接続部の回動支点部を支点としてアダプタケース接続部を回動してアダプタケースの底面に対して水平状態としたときにアダプタケースの嵌合受け部の嵌合受け口に対向する位置に、モジュールケース側の嵌合用凸部が設けられており、そのモジュールケース側の嵌合用凸部とアダプタケース側の嵌合受け部とを対向させモジュールケースをアダプタケースに対して相対的に上方側に移動させることで嵌合用凸部と嵌合受け部を嵌合させてアダプタケースがモジュールケースに装着されていることを特徴としている。
【００１７】
また、本発明の別の構成は、回路基板を収容するモジュールケースと、このモジュールケースに装着され外部のコネクタを接続させるためのアダプタとを有するパッケージモジュールにおいて、アダプタは側周面が閉鎖の筒形状をしたアダプタケースを有し、このアダプタケースの筒形状の一端側開口は外部のコネクタの差し込み口と成し、他端側開口はモジュールケースに装着するための接続口と成し、アダプタケースの接続口側の上壁には嵌合受け部が嵌合受け口を下向きにして設けられており、モジュールケースはアダプタケースの接続口に挿入されるアダプタケース接続部を有し、このアダプタケース接続部には、アダプタケースの嵌合受け部に嵌合する嵌合用凸部が設けられ、また、アダプタケース接続部には先方に向けて突出したアームが一体形成され、そのアームの先端部にはアダプタケース内に差し込まれた外部のコネクタを固定するための爪部が設けられており、アダプタケースには、アダプタケース接続部がアダプタケースの接続口からアダプタケース内に挿入されアダプタケース接続部の嵌合用凸部がアダプタケースの嵌合受け部の嵌合受け口に対向する位置まで進行したときにアダプタケース接続部の前進移動を停止させる挿入停止部が設けられている構成と成しており、モジュールケースのアダプタケース接続部をアダプタケースの接続口からアダプタケースの内部に挿入させアダプタケース接続部のアームをアダプタケースの底壁に沿わせながらアダプタケースの挿入停止部により停止するまでアダプタケース接続部を前進移動させてモジュールケース側の嵌合用凸部とアダプタケース側の嵌合受け部の嵌合受け口とを対向させてからモジュールケースをアダプタケースに対して相対的に上方側に移動させることで嵌合用凸部と嵌合受け部を嵌合させてアダプタケースがモジュールケースに装着されていることを特徴としている。
【００１８】
この発明によれば、モジュールケースにはアームが一体形成される構成であるので、例えば、アームを接着剤によりモジュールケースに取り付ける必要が無く、製造工程の煩雑化を防止できるし、接着剤に起因した問題の発生や、アームの強度が弱くなるという問題を回避できる。
【００１９】
また、この発明では、アダプタケースは側周面が閉鎖の筒形状と成しており、アダプタケースをモジュールケースに取り付けたときに、コネクタの差し込み口以外のアダプタケースの開口部はモジュールケースによって塞がれた状態とすることが可能となる。このため、アダプタケース内部に入り込む粉塵をほぼ無くすことができる。例えば、パッケージモジュールが光通信用モジュールである場合には、パッケージモジュール側の光ファイバと、アダプタケースに差し込まれた光コネクタの光ファイバとの光接続部に埃が入り込んで光接続状態が悪化してしまうという問題を回避することができる。
【００２０】
さらに、この発明では、アダプタケースは側周面が閉鎖の筒形状と成して開口部を減少させた構成であるので、アダプタケースの強度を強めることができる。
【００２１】
ところで、アダプタケース側の嵌合受け部の下向きの先端位置とアダプタケースの接続口の下端位置との間の開口幅が、モジュールケース側のアダプタケース接続部における嵌合用凸部の上下方向の高さ寸法よりも小さい寸法となっている構成を備える場合や、アダプタケースの接続口側の上下方向の外形高さ寸法をＨｏとし、アダプタケースの上面と底面のそれぞれのケース壁の厚みをｔとし、アダプタケースの上面位置と嵌合受け部の下向き先端位置との間の高さ間隔をＬ１とし、モジュールケース側の爪部を含むアームの最下位置と嵌合用凸部の突出先端位置との間の高さ間隔をＬ３としたときに、Ｌ３≧Ｈｏ−ｔ−Ｌ１の数式を満たす構成を備える場合には、モジュールケースにアダプタケースを取り付ける際には、モジュールケース側のアダプタケース接続部をアダプタケースの底面に対して上向きに傾けて挿入する。そして、モジュールケース側のアダプタケース接続部が指定位置までアダプタケース内に挿入されたときにアダプタケース側に当接しているモジュールケース側のアダプタケース接続部の部分を支点としてアダプタケース接続部を回動してアダプタケース接続部をアダプタケースの底面に対して水平状態とする。このとき、モジュールケース側の嵌合用凸部が、アダプタケース側の嵌合受け部の嵌合受け口の対向位置に配置されるように設計することによって、アダプタケース接続部の回動後に、モジュールケースをアダプタケースに対して相対的に上側に移動させるだけで、モジュールケース側の嵌合用凸部と、アダプタケース側の嵌合受け部とを嵌合できる。このようにして、アダプタケースをモジュールケースに取り付けることができる。
【００２２】
このように、アダプタケース側の嵌合受け部の下向きの先端位置とアダプタケースの接続口の下端位置との間の開口幅が、モジュールケース側のアダプタケース接続部における嵌合用凸部の上下方向の高さ寸法よりも小さい寸法となっていても、アダプタケースをモジュールケースに取り付けることができる。なお、ここでは、便宜上、そのようにしてアダプタケースをモジュールケースに取り付けるものをアーム斜め挿入タイプと呼ぶ。
【００２３】
そのアーム斜め挿入タイプのものにあっては、アダプタケースをモジュールケースに取り付けるためには、モジュールケース側のアダプタケース接続部のアダプタケース内への挿入と、挿入後のアダプタケース接続部の回動と、アダプタケース側の嵌合受け部とモジュールケース側の嵌合用凸部との嵌合というような複数の動作が必要であることから、アダプタケースがモジュールケースから簡単に外れてしまうことを回避することができる。
【００２４】
さらに、アーム斜め挿入タイプのものにあって、モジュールケースのアダプタケース接続部をアダプタケースの内部に挿入しアダプタケース接続部を回動する際にアダプタケース接続部の嵌合用凸部の突出先端部がアダプタケースの嵌合受け部の嵌合受け口端縁部に接触しながらアダプタケース接続部が回動する構成を備えることによって、アダプタケースがモジュールケースから外れようとしてもモジュールケース側の嵌合用凸部がアダプタケース側の嵌合受け部の嵌合受け口端縁部に引っ掛かるので、アダプタケースがモジュールケースから外れてしまう事態をより確実に防止することができる。
【００２５】
さらに、アーム斜め挿入タイプのものにあっては、アダプタケース側の嵌合受け部の下向きの先端位置とアダプタケースの接続口の下端位置との間の開口幅が、モジュールケース側のアダプタケース接続部における嵌合用凸部の上下方向の高さ寸法よりも小さい寸法となっているので、その開口幅の狭小化により、アダプタケースの上下方向の高さを小さくできる。その結果、アダプタケースの小型化（低背化）を図ることができて、パッケージモジュールの小型化を図ることができる。
【００２６】
さらに、この発明では、アーム斜め挿入タイプではなく、アーム水平挿入タイプの構成を備えている場合（つまり、モジュールケースのアダプタケース接続部をアダプタケースの接続口からアダプタケースの内部に挿入させモジュールケース側のアームをアダプタケースの底壁に沿わせながら前進移動させてモジュールケース側の嵌合用凸部とアダプタケース側の嵌合受け部の嵌合受け口とを対向させ、その後に、モジュールケースをアダプタケースに対して相対的に上方側に移動させることで嵌合用凸部と嵌合受け部を嵌合させてアダプタケースがモジュールケースに装着されている構成を備えている場合）にも、簡単な動作でもってアダプタケースをモジュールケースに装着することができる。また、アダプタケースがモジュールケースから外れ難くなるという効果を得ることができる。
【００２７】
以上のように、この発明の構成を備えることによって、強度およびコネクタ接続に対する信頼性が高く、また、製造工程の簡略化によりコスト低減が容易なパッケージモジュールを提供することができるというものである。
【発明を実施するための最良の形態】
【００２８】
以下に、本発明に係る実施形態例を図面に基づいて説明する。なお、以下に説明する実施形態例の説明において、図１０に示したパッケージモジュールと同一構成部分には同一符号を付し、その共通部分の重複説明は省略する。
【００２９】
第１実施形態例のパッケージモジュールは光通信用モジュールであり、次に示すような特有な構成（アーム斜め挿入タイプの構成）を備えている。なお、この第１実施形態例では、次に述べる構成以外のパッケージモジュールの構成は、図１０に示すパッケージモジュール１と同様である。
【００３０】
すなわち、図１０に示すアダプタ５のアダプタケース１１は底面が開口していたのに対して（図１１参照）、この第１実施形態例では、図１に示されるように、アダプタケース１１の底面は閉塞されており、当該アダプタケース１１は側周面が閉鎖された筒形状と成している。このアダプタケース１１の一端側開口は外部のコネクタ（この第１実施形態例では光コネクタ）の差し込み口１１ａと成し、他端側開口はモジュールケース４（基部ケース９）に装着するための接続口１１ｃと成している。
【００３１】
このアダプタケース１１の接続口１１ｃ側の上壁には嵌合受け部１５（１５Ａ，１５Ｂ）が嵌合受け口１６（１６Ａ，１６Ｂ）を下向きにして設けられている。また、基部ケース９側にはその嵌合受け部１５（１５Ａ，１５Ｂ）に嵌合する嵌合用凸部１７（１７Ａ，１７Ｂ）が設けられている。この第１実施形態例では、図２に示されるように、アダプタケース１１の嵌合受け部１５の下向き先端位置と接続口１１ｃの下端位置との間の開口幅Ｈは、モジュールケース４（基部ケース９）の嵌合用凸部１７の上下方向の高さＬ２よりも小さい寸法となっている。
【００３２】
また、この第１実施形態例では、モジュールケース４（基部ケース９）の嵌合用凸部１７の突出先端位置と、爪部１３を含むアーム１２の最下位置（つまり、この第１実施形態例では爪部１３の底面位置）との間の高さ間隔Ｌ３は、アダプタケース１１の嵌合受け部１５の下向き先端位置と接続口１１ｃの下端位置との間の開口幅Ｈ以上の大きい寸法となっている（Ｌ３≧Ｈ）。換言すれば、ここで、アダプタケース１１の上下方向の外形高さ寸法をＨｏとし、アダプタケース１１の上下方向の内寸高さをＨｉとし、アダプタケース１１の上面と底面のそれぞれのケース壁の厚みをｔとし、アダプタケース１１の上面位置と嵌合受け部１５の下向き先端位置との間の高さ間隔をＬ１とする。この場合、アダプタケース１１においての接続口１１ｃの高さ方向の開口幅Ｈは、Ｈ＝Ｈｏ−ｔ−Ｌ１の数式で表される。このことから、この第１実施形態例では、高さ間隔Ｌ３は、Ｌ３≧Ｈｏ−ｔ−Ｌ１の数式を満たす寸法となっている。
【００３３】
このため、この第１実施形態例では、例えば、モジュールケース４にアダプタケース１１を装着すべく、モジュールケース４のアーム１２および爪部１３をアダプタケース１１の接続口１１ｃからアダプタケース１１の内部に挿入し、アーム１２をアダプタケース１１の底壁に沿わせながら前進移動させていくと、図３に示されるように、モジュールケース４の嵌合用凸部１７がアダプタケース１１の嵌合受け部１５の外壁面に当接して、モジュールケース４の前進移動が停止する。このために、このままでは、モジュールケース４の嵌合用凸部１７をアダプタケース１１の嵌合受け部１５に嵌合させることができない。
【００３４】
そこで、この第１実施形態例では、アダプタケース１１をモジュールケース４（基部ケース９）に取り付けるときには、次に示すような特有な手順でもって取り付け作業を行う。例えば、図５ａの断面図に示すように、基部ケース９およびアーム１２をアダプタケース１１の底面に対して上向きに傾けた状態でアダプタケース１１の接続口１１ｃからアダプタケース１１の内部に爪部１３およびアーム１２を挿入していく。
【００３５】
アーム１２および爪部１３の挿入を継続していくと、図５ｂに示すように、アダプタケース１１の底壁先端部に基部ケース９の周壁が当接して基部ケース９およびアーム１２の挿入が停止する。この第１実施形態例では、基部ケース９の周壁がアダプタケース１１の底壁に当接する前に、爪部１３がアダプタケース１１の上壁に当接しないように、アーム１２の長さ等が設計されている。なお、図５ｂの例では、基部ケース９の周壁がアダプタケース１１の底壁先端部に当接したときに、爪部１３がアダプタケース１１の上壁に当接していないが、例えば、基部ケース９の周壁がアダプタケース１１の底壁先端部に当接したときに同時に、爪部１３がアダプタケース１１の上壁に当接する構成としてもよい。
【００３６】
その後、アダプタケース１１の底壁先端部が当接しているアーム１２の当接部位Ｐを支点として基部ケース９およびアーム１２を回動して、図５ｃに示されるように、基部ケース９およびアーム１２をアダプタケース１１の底面に対して水平状態とする。つまり、この第１実施形態例では、アーム１２の挿入が停止したときにアダプタケース１１の底壁先端部が当接するアーム１２の部位Ｐが回動支点部となっている。
【００３７】
また、この第１実施形態例では、基部ケース９とアーム１２を回動させる際に、嵌合用凸部１７の突出先端部がアダプタケース１１の嵌合受け部１５の嵌合受け口端縁部に接触し、図４ａに示されるように、嵌合受け部１５の嵌合受け口を構成するモジュールケース寄り側の壁部を僅かに変形させながら、基部ケース９およびアーム１２は回動する構成となっている。このため、この第１実施形態例では、モジュールケース４の回動支点部Ｐと嵌合用凸部１７においての回動支点部から最も離れている部分Ｑ（図４ｂ参照）との間の長さβ１は、アダプタケース１１においての接続口１１ｃの下端の先端位置Ｘと、嵌合受け部１５の嵌合受け口のモジュールケース寄り側の内端部Ｙとの間の距離β２よりも僅かに長くなっている。
【００３８】
さらに、この第１実施形態例では、嵌合用凸部１７が嵌合受け部１５の嵌合受け口端縁部に接触しながら基部ケース９およびアーム１２を回動させる際に、その基部ケース９およびアーム１２の回動をスムーズに行わせるために、嵌合受け部１５の嵌合受け口のモジュールケース寄り側の内端部１８は、カットされるか、あるいは、丸みがつけられている。なお、その内端部１８をカットするか、あるいは、丸みをつけるのではなく、嵌合用凸部１７における嵌合受け部接触部分をカットするか、あるいは、丸みをつける構成としてもよい。
【００３９】
さらに、この第１実施形態例では、基部ケース９およびアーム１２の回動により、それら基部ケース９およびアーム１２がアダプタケース１１の底面に対して水平状態になったときに、基部ケース９側（モジュールケース４側）の嵌合用凸部１７がアダプタケース１１側の嵌合受け部１５の嵌合受け口１６に対向するように、嵌合受け部１５と嵌合用凸部１７の配置関係が設計されている。
【００４０】
基部ケース９およびアーム１２の回動により当該基部ケース９およびアーム１２をアダプタケース１１の底面に対して水平な状態にした後に、図５ｄに示されるように、アダプタケース１１の底面に対してモジュールケース４を相対的に上側に移動させて、モジュールケース４側の嵌合用凸部１７と、アダプタケース１１側の嵌合受け部１５とを嵌合させる。これにより、基部ケース９（モジュールケース４）へのアダプタケース１１の装着が完了する。
【００４１】
この第１実施形態例では、嵌合用凸部１７と嵌合受け部１５が嵌合したときに、アダプタケース１１の底面と、モジュールケース４の底面とが面一になると共に、モジュールケース４のアーム１２の伸長方向の中心線Ｏ12（図５ｃ参照）がアダプタケース１１の中心位置Ｏ11に一致するように構成されている。つまり、図５ｃの状態から図５ｄの状態に移行させるときのアダプタケース１１に対するモジュールケース４（基部ケース９）の相対的な上側移動量をΔｈとし、アーム１２の高さ寸法をＤとする。この場合に、この第１実施形態例では、その上側移動量Δｈは、Δｈ＝Ｈｏ／２−Ｄ／２−ｔの数式により定まる値となっている。また、モジュールケース４の嵌合用凸部１７の突出先端位置とモジュールケース４の底面位置との間の高さ間隔Ｌ２は、Ｌ２＝Ｌ３＋ｔ＋Δｈの数式を満たす寸法となっている。
【００４２】
また、この第１実施形態例では、嵌合用凸部１７が形成されている基部ケース９の周壁部分と、アーム１２と、爪部１３とが、アダプタケース１１の接続口１１ｃに挿入されるアダプタケース接続部αを構成している（図５ｃ参照）。
【００４３】
この第１実施形態例では、基部ケース９にアダプタケース１１を取り付けた後に、回路基板２および光モジュール部品３を収容した基部ケース９と、蓋側ケース１０とを組み合わせることにより、パッケージモジュール１が組み立てられる。このパッケージモジュール１においては、アダプタケース１１が基部ケース９（モジュールケース４）に取り付けられている状態では、そのアダプタケース１１は、コネクタの差し込み口１１ａ以外の部分に開口部は無い状態となる。また、アダプタケース１１に光コネクタが差し込まれ、この光コネクタによってアダプタケース１１の差し込み口１１ａもほぼ塞がれた状態にできる。このため、光コネクタがアダプタケース１１の内部に差し込まれて、光コネクタの光ファイバと、光モジュール部品３のフェルールの光ファイバとが光接続しているときに、アダプタケース１１の外部から内部に埃が入り込むことを回避できる。よって、アダプタケース１１に光コネクタを抜き差ししても、埃に起因して、その光接続状態が悪化する等の問題を防止できる。
【００４４】
なお、この第１実施形態例では、アーム１２の根元の下端位置は、基部ケース９の底面位置よりも上側の高さ位置にあり、アーム１２の根元の下端位置よりも下側の基部ケース９の周壁部分は、アーム１２のアダプタケース１１への挿入時にアダプタケース１１の底壁に当接してアーム１２の挿入を停止させる部分であったが、例えば、アーム１２の例えば根元又はその近傍の下端部に図９ａに示されるような凹部２３を設け、当該凹部２３の内壁面がアーム１２の挿入を停止させる機能を持つ構成としてもよい。また、アーム１２に図９ａに示されるような凹部２３や図９ｂに示されるような孔部２４が設けられる構成の場合には、凹部２３又は孔部２４の開口端縁の一部Ｐが基部ケース９およびアーム１２の回動支点部として機能する構成としてもよい。
【００４５】
さらに、基部ケース９の下側の周壁面や、アーム１２に形成した凹部２３によって、アーム１２の挿入を停止させるのではなく、爪部１３がアダプタケース１１の上壁に当接することによって、アーム１２の挿入を停止させる構成としてもよいものである。
【００４６】
さらに、第１実施形態例では、モジュールケース４にアダプタケース１１を装着させる工程において、モジュールケース４を回動する際に、嵌合用凸部１７の突出先端部が嵌合受け部１５の嵌合受け口端縁部に接触する構成であったが、嵌合用凸部１７の突出先端部が嵌合受け部１５の嵌合受け口端縁部に接触しない構成としてもよい。この場合には、モジュールケース４の嵌合用凸部１７の突出先端位置と爪部１３の底面位置との間の高さ間隔Ｌ３は、前述したＬ３≧Ｈｏ−ｔ−Ｌ１の数式を満たす間隔と成し、かつ、図４ｂに示されるＱＰ間の間隔β１はＸＹ間の間隔β２よりも短い長さ（β１＜β２）と成す。嵌合用凸部１７の突出先端部が嵌合受け部１５の嵌合受け口端縁部に接触しない構成とすると、パッケージモジュールが非常に小型なものである場合には、嵌合受け部１５と嵌合用凸部１７の嵌合が浅くなって嵌合受け部１５と嵌合用凸部１７との嵌合状態が解消され易くなる。このため、小型なパッケージモジュールにおいては、嵌合用凸部１７の突出先端部が嵌合受け部１５の嵌合受け口端縁部に接触する構成として、嵌合受け部１５と嵌合用凸部１７の嵌合をできるだけ深くする構成とすることが好ましい。
【００４７】
以下に、第２実施形態例を説明する。この第２実施形態例の説明において、第１実施形態例と同一構成部分には同一符号を付し、その共通部分の重複説明は省略する。
【００４８】
この第２実施形態例では、アーム水平挿入タイプの構成の一例を述べる。すなわち、この第２実施形態例では、モジュールケース４の嵌合用凸部１７の突出先端位置と爪部１３の底面位置との間の高さ間隔Ｌ３（図２参照）は、Ｌ３≦Ｈｏ−ｔ−Ｌ１の数式を満たす寸法となっている。換言すれば、高さ間隔Ｌ３は、アダプタケース１１の接続口１１ｃの高さ方向の開口幅Ｈ（Ｈ＝Ｈｏ−ｔ−Ｌ１）以下の小さい寸法となっている。
【００４９】
このため、この第２実施形態例では、次に示すように、モジュールケース４にアダプタケース１１を装着することができる。すなわち、図６ａに示されるように、モジュールケース４のアーム１２および爪部１３をアダプタケース１１の接続口１１ｃからアダプタケース１１の内部に挿入し、アーム１２をアダプタケース１１の底壁に沿わせながらモジュールケース４をアダプタケース１１に対して相対的に前進移動させていく。
【００５０】
この第２実施形態例では、アダプタケース１１の嵌合受け部１５のケース内側の下端位置１５ibは、嵌合受け部１５のモジュールケース寄り側の下端位置１５obよりも下側となっている。このため、図６ｂに示されるように、モジュールケース４側の嵌合用凸部１７がアダプタケース１１側の嵌合受け部１５の嵌合受け口に対向する位置までモジュールケース４が前進移動したときに、嵌合用凸部１７が嵌合受け部１５のケース内側の内端部に当接してモジュールケース４の前進移動が停止する。すなわち、この第２実施形態例では、嵌合受け部１５のケース内側内端部Ｋが挿入停止部と成している。
【００５１】
その後、モジュールケース４をアダプタケース１１に対して相対的に上側に移動させることにより、図６ｃに示されるように、モジュールケース４側の嵌合用凸部１７と、アダプタケース１１の嵌合受け部１５とを嵌合させる。この第２実施形態例においても、第１実施形態例と同様に、嵌合用凸部１７と嵌合受け部１５を嵌合させたときに、モジュールケース４の底面位置と、アダプタケース１１の底面位置とが面一になると共に、アーム１２の伸長方向の中心線と、アダプタケース１１の中心線とが一致するように設計されている。つまり、図６ｂの状態から図６ｃの状態に移行するときのアダプタケース１１に対するモジュールケース４の上側移動量Δｈ（図６ｂ参照）は、Δｈ＝Ｈｏ／２−Ｄ／２−ｔの数式により定まる数値となっている。また、モジュールケース４の嵌合用凸部１７の突出先端位置とモジュールケース４の底面位置との間の高さ間隔Ｌ２は、Ｌ２＝Ｌ３＋ｔ＋Δｈの数式を満たす寸法となっている。
【００５２】
この第２実施形態例では、以上のようにして、モジュールケース４にアダプタケース１１を装着することができる。
【００５３】
ところで、この第２実施形態例の構成では、第１実施形態例の構成に比べると、モジュールケース４にアダプタケース１１を装着することが容易である。その反面、アダプタケース１１がモジュールケース４から外れ易くなる虞がある。そこで、次に示されるような構成を設けてもよい。
【００５４】
例えば、図７ａのモデル図に示されるように、モジュールケース４の嵌合用凸部１７の先端部に外向きの爪部１７ａを設ける。図７ｃは、図７ａに示されるモジュールケース４のアーム１２をアダプタケース１１の接続口１１ｃからアダプタケース１１の内部に挿入して嵌合用凸部１７が嵌合受け部１５の嵌合受け口に対向したときの状態を表すモデル図である。図７ｂは、図７ｃのＡ−Ａ部分の断面図である。図７ｂの断面図に示されるように、アダプタケース１１の嵌合受け部１５には、当該嵌合受け部１５に嵌合用凸部１７が嵌合したときに嵌合用凸部１７の爪部１７ａが抜け止め係止する爪係止部２６が設けられている。この例では、モジュールケース４側の嵌合用凸部１７がアダプタケース１１側の嵌合受け部１５に嵌合してモジュールケース４の底面位置がアダプタケース１１の底面位置と面一になった状態のときに嵌合用凸部１７の爪部１７ａが対向する位置に、穴部から成る爪係止部２６が形成されている。このため、嵌合用凸部１７の爪部１７ａが嵌合受け部１５の爪係止部２６に係止して抜け止め固定されることにより、モジュールケース４の底面位置とアダプタケース１１の底面位置とが面一になっている状態を維持することができる。また、モジュールケース４からアダプタケース１１が外れてしまう事態を確実に防止することができる。
【００５５】
なお、この例では、嵌合用凸部１７の先端部に設けられる爪部１７ａは外向きに突出形成されていたが、爪部１７ａを内向きに形成してもよい。この場合には、もちろん、アダプタケース１１の嵌合受け部１５側に設けられる爪係止部２６も、爪部１７ａの形成位置に応じた位置に設けられることとなる。
【００５６】
また、次に示すような構成を設けて、モジュールケース４からアダプタケース１１が外れてしまう事態を防止する構成としてもよい。例えば、図８ｂの断面図に示されるように、アダプタケース１１側の嵌合受け部１５において、モジュールケース４側の嵌合用凸部１７の側面に沿わせるための壁面１５ｗは、内向きの傾きがつけられている。また、図８ａおよび図８ｂに示されるように、モジュールケース４側の嵌合用凸部１７には当該嵌合用凸部１７の先端部分を内向きに傾けるための曲げ部１７ｃが設けられ、この曲げ部１７ｃよりも先端側は傾斜部１７ｂと成している。なお、図８ｃは、図８ａに示されるモジュールケース４のアーム１２をアダプタケース１１の接続口１１ｃからアダプタケース１１の内部に挿入して嵌合用凸部１７が嵌合受け部１５の嵌合受け口に対向したときの状態を表すモデル図であり、図８ｂは、図８ｃのＡ−Ａ部分の断面図である。
【００５７】
そのような嵌合受け部１５および嵌合用凸部１７の構成によって、嵌合用凸部１７を嵌合受け部１５に挿入すると、例えば、嵌合用凸部１７は、嵌合受け部１５の壁面１５ｗの傾きによって内向きに弾性変形しながら嵌合受け部１５を前進移動して、図８ｄに示されるような状態となる。つまり、嵌合用凸部１７の先端部は、嵌合受け部１５の内寄りの壁面に当接し当該当接面を内向きの押圧力Ｆiでもって押圧する。また、嵌合用凸部１７の曲げ部１７ｃは嵌合受け部１５の外寄りの壁面に当接し当該当接面を外向きの押圧力Ｆoでもって押圧する。それら押圧力Ｆo，Ｆiにより、嵌合用凸部１７が嵌合受け部１５に固定されて嵌合受け部１５から嵌合用凸部１７が外れ難くなる。
【００５８】
なお、この例では、嵌合用凸部１７の傾斜部１７ｂは内向きであったが、外向きであってもよい。また、嵌合受け部１５の壁面１５ｗは内向きに傾いていたが、外向きに傾いていてもよい。
【００５９】
なお、この発明は第１や第２の各実施形態例に限定されるものではなく、様々な実施の形態を採り得る。例えば、第１と第２の各実施形態例では、基部ケース９の周壁に嵌合用凸部１７が形成されていたが、例えば、アーム１２の根元部分に嵌合用凸部１７が形成されている構成としてもよい。また、第１と第２の実施形態例では、モジュールケース４は、基部ケース９と蓋側ケース１０の上下に分離された態様であったが、モジュールケース４はそれ以外の態様であってもよい。
【００６０】
さらに、第１と第２の実施形態例では、アーム１２の底面位置よりも爪部１３の底面位置の方が低かったが、アーム１２の底面位置と爪部１３の底面位置とが等しい構成としてもよい。また、爪部１３の底面位置がアーム１２の底面位置よりも上側となっている構成としてもよい。この場合には、爪部１３を含むアーム１２の最下位置はアーム１２の底面位置となるので、前述した高さ間隔Ｌ３は、アーム１２の底面位置と嵌合用凸部１７の突出先端位置との間の間隔となる。
【００６１】
さらに、第１実施形態例の構成に加えて、図７ａ〜図７ｃに示されるような構成や、図８ａ〜図８ｄに示される構成を備えてもよい。
【００６２】
さらに、第１と第２の実施形態例では、光通信用モジュールを例にして説明したが、この発明は、回路基板がモジュールケース内に収容配置されて成るパッケージモジュールであれば、光通信用モジュール以外のモジュールにも適用することができるものである。例えば、高周波回路が回路基板に形成されてケース内に収容されている高周波回路モジュールや、低周波電流や直流電流が通電する回路が形成されている回路モジュールにも適用することができる。
【産業上の利用可能性】
【００６３】
以上のように、本発明は、強度やコネクタ接続に対する信頼性が高く、また、製造工程の簡略化によりコスト低減が容易なものであることから、例えば、汎用部品としてのパッケージモジュール等に適用することは非常に有効である。
【図面の簡単な説明】
【００６４】
【図１】第１実施形態例のパッケージモジュールにおいて特有な構成部分を抜き出して示したモデル図である。
【図２】第１実施形態例のパッケージモジュールにおけるアダプタケースと、モジュールケースの嵌合用凸部形成領域との寸法関係を説明するための図である。
【図３】図２と同様に、第１実施形態例のパッケージモジュールにおけるアダプタケースと、モジュールケースの嵌合用凸部形成領域との寸法関係を説明するための図である。
【図４ａ】第１実施形態例のパッケージモジュールを組み立てる工程において特徴的な作業例を説明するための図である。
【図４ｂ】図４ａに示される状態を実現するための第１実施形態例のパッケージモジュールのサイズ条件を説明するための図である。
【図５ａ】第１実施形態例におけるアダプタケースをモジュールケースに取り付ける工程例を説明するためのモデル図である。
【図５ｂ】第１実施形態例におけるアダプタケースをモジュールケースに取り付ける工程例を説明するためのモデル図である。
【図５ｃ】第１実施形態例におけるアダプタケースをモジュールケースに取り付ける工程例を説明するためのモデル図である。
【図５ｄ】第１実施形態例におけるアダプタケースをモジュールケースに取り付ける工程例を説明するためのモデル図である。
【図６ａ】第２実施形態例のパッケージモジュールを組み立てる工程例を説明するための図である。
【図６ｂ】第２実施形態例のパッケージモジュールを組み立てる工程例を説明するための図である。
【図６ｃ】第２実施形態例のパッケージモジュールを組み立てる工程例を説明するための図である。
【図７ａ】パッケージモジュールを構成する嵌合用凸部と嵌合受け部のその他の形態例を説明するための図である。
【図７ｂ】パッケージモジュールを構成する嵌合用凸部と嵌合受け部のその他の形態例を説明するための図である。
【図７ｃ】パッケージモジュールを構成する嵌合用凸部と嵌合受け部のその他の形態例を説明するための図である。
【図８ａ】さらに、パッケージモジュールを構成する嵌合用凸部と嵌合受け部の別の形態例を説明するための図である。
【図８ｂ】さらに、パッケージモジュールを構成する嵌合用凸部と嵌合受け部の別の形態例を説明するための図である。
【図８ｃ】さらに、パッケージモジュールを構成する嵌合用凸部と嵌合受け部の別の形態例を説明するための図である。
【図８ｄ】さらに、パッケージモジュールを構成する嵌合用凸部と嵌合受け部の別の形態例を説明するための図である。
【図９ａ】第１実施形態例に示したアームの変形例を説明するための図である。
【図９ｂ】第１実施形態例に示したアームの変形例を説明するための図である。
【図１０】本出願人が開発しているパッケージモジュールの一例を説明するためのモデル図である。
【図１１】開発の一段階前のアダプタケースの一例を模式的に示したモデル図である。
【図１２】コネクタを固定するためのアームと、アダプタケースとの従来例を説明するための図である。
【図１３】コネクタを固定するためのアームと、アダプタケースとの別の従来例を説明するための図である。
【手続補正３】
【補正対象書類名】図面
【補正対象項目名】図１
【補正方法】変更
【補正の内容】
【図１】
2004095104.tif 000016
【手続補正４】
【補正対象書類名】図面
【補正対象項目名】図２
【補正方法】変更
【補正の内容】
【図２】
2004095104.tif 000017
【国際調査報告】
2004095104.tif 000018
2004095104.tif 000019
2004095104.tif 000020